(57)【要約】【課題】  本発明は食事や買い物等をしている最中でも、携帯情報端未機での決済、情報取得、充電等のための作業を効率よく行い、遊び心のある、利用価値の高い状態で時間やスペースを提供することができる携帯情報端未機等の管理装置を得るにある。【解決手段】  少なくとも一つ以上の携帯電話機、ＰＤＡ、デジタルカメラ等の携帯情報端未機の管理を行う情報端未機等の管理装置であって、前記管理装置は、管理装置本体と、この管理装置本体に設けられた、少なくとも一つ以上の前記携帯情報端未機を収納することができる少なくとも１個以上の収納ボックス、この少なくとも１個以上の収納ボックスに設けられ、前記携帯情報端未機に接続される充電用コネクタとを備えた充電装置とで携帯情報端未機等の管理装置を構成している。【選択図】  図１
2005190450.tif 000002
【特許請求の範囲】
【請求項１】
少なくとも一つ以上の携帯電話機、ＰＤＡ、デジタルカメラ等の携帯情報端未機の管理を行う情報端未機等の管理装置であって、前記管理装置は、管理装置本体と、この管理装置本体に設けられた、少なくとも一つ以上の前記携帯情報端未機を収納することができる少なくとも１個以上の収納ボックス、この少なくとも１個以上の収納ボックスに設けられ、前記携帯情報端未機に接続される充電用コネクタとを備えた充電装置とからなることを特徴とする携帯情報端未機等の管理装置。
【請求項２】
前記充電装置の複数個の収納ボックスには、収納ボックス毎あるいは一体的に施錠／開錠するためのロック機構を備えたことを特徴とする請求項１に記載の携帯情報端未機等の管理装置。
【請求項３】
前記ロック機構は、操作部を介して、前記収納ボックスに対応する所定の識別番号が入力された場合に、施錠および／または開錠動作する請求項２に記載の携帯情報端未機等の管理装置。
【請求項４】
前記ロック機構には、所定の金額分の充電が行えるように、所定金額に対応して充電時間を表示部に表示させることができる請求項２あるいは３のいずれかに記載の携帯情報端未機等の管理装置。
【請求項５】
少なくとも一つ以上の携帯電話機、ＰＤＡ、デジタルカメラ等の携帯情報端未機の管理を行う情報端未機等の管理装置であって、前記管理装置は、管理装置本体と、この管理装置本体に設けられた、少なくとも一つ以上の前記携帯情報端未機を出し入れすることができる少なくとも１個以上の収納ボックス、この少なくとも１個以上の収納ボックスに設けられ、前記情報端未機に接続される充電用コネクタとを備えた充電装置と、前記管理装置本体に設けられた、無線ＬＡＮを介したインターネット接続サービスが可能な、ＡＤＳＬモデムや光終端装置等のモデム手段経由でインターネットへ接続されるアクセスポイントとからなることを特徴とする携帯情報端未機等の管理装置。
【請求項６】
前記アクセスポイントにはスイッチングハブ等の分岐手段が設けてあり、この分岐手段にはＬＡＮケーブルを介してパーソナルコンピュータ等の通信端末が接続されることを特徴とする請求項５に記載の携帯情報端未機等の管理装置。
【請求項７】
少なくとも一つ以上の携帯電話機、ＰＤＡ、デジタルカメラ等の携帯情報端未機の管理を行う情報端未機等の管理装置であって、前記管理装置は、管理装置本体と、この管理装置本体に設けられた、少なくとも一つ以上の前記携帯情報端未機を出し入れすることができる少なくとも１個以上の収納ボックス、この少なくとも１個以上の収納ボックスに設けられ、前記情報端未機に接続される充電用コネクタとを備えた充電装置と、前記管理装置本体に設けられた、無線ＬＡＮを介したインターネット接続サービスが可能な、ＡＤＳＬモデムや光終端装置等のモデム手段経由でインターネットへ接続されるアクセスポイントと、前記管理装置本体に設けられた、携帯電話機、ＰＤＡ、デジタルカメラ等の携帯情報端未機から画像や映像等のデータを送受信する送受信手段、この送受信手段で受信した画像や映像等のデータを記憶する記憶手段、この記憶手段に記憶した画像データをプリントするプリント手段等を備えるプリンタとからなることを特徴とする携帯情報端未機等の管理装置。
【請求項８】
少なくとも一つ以上の携帯電話機、ＰＤＡ、デジタルカメラ等の携帯情報端未機の管理を行う情報端未機等の管理装置であって、前記管理装置は、管理装置本体と、この管理装置本体に設けられた、少なくとも一つ以上の前記携帯情報端未機を出し入れすることができる少なくとも１個以上の収納ボックス、この少なくとも１個以上の収納ボックスに設けられ、前記情報端未機に接続される充電用コネクタとを備えた充電装置と、前記管理装置本体に設けられた、無線ＬＡＮを介したインターネット接続サービスが可能な、ＡＤＳＬモデムや光終端装置等のモデム手段経由でインターネットへ接続されるアクセスポイントと、前記管理装置本体に設けられた、携帯電話機、ＰＤＡ、デジタルカメラ等の携帯情報端未機から画像や映像等のデータを受信する送受信手段、この送受信手段で受信した画像や映像等のデータを記憶する記憶手段、この記憶手段に記憶した画像データをプリントするプリント手段等を備えるプリンタと、前記管理装置本体に設けられた、携帯電話機、ＰＤＡ、デジタルカメラ等の前記携帯情報端未機に設けられたＩＣチップやＩＣカード等を本人認証ツールとして認識し、ネットワークを介して決済や売買サービス等の処理をすることができる認証装置とからなることを特徴とする携帯情報端未機等の管理装置。
【請求項９】
前記充電装置、アクセスポイント、プリンタ、認証装置、ＦＡＸ、ＣＤやＤＶＤ等のレコーダー等の通信装置を選択的に前記管理装置本体に設けることができる請求項１に記載の携帯情報端未機等の管理装置。
【請求項１０】
少なくとも一つ以上の携帯電話機、ＰＤＡ、デジタルカメラ等の携帯情報端未機の管理を行う情報端未機等の管理装置であって、前記管理装置は、モニターや液晶パネル等の管理装置本体と、この管理装置本体に設けられた、少なくとも一つ以上の前記携帯情報端未機を接続することができる充電用コネクタとからなることを特徴とする携帯情報端未機等の管理装置。
【発明の詳細な説明】
【技術分野】
【０００１】  本発明は、本発明は携帯電話機、ＰＤＡ、デジタルカメラ、デジタルビデオ等の携帯情報端未機の管理を行う携帯情報端未機等の管理装置に関する。
【背景技術】
【０００２】  従来の携帯情報端未機等の管理装置では、ショッピングセンター、レストラン、コンビエンスストア等に、オンラインでチケット予約やオンラインショッピングが可能な端末装置等が設置されており、従来の決済方法に加えて、ＩＣカードを用いた電子マネー等による決済や、いわゆるコンビニエンスストア等のＡＴＭ端末を設置することにより現金の出し入れや資金移動を可能とすることによる決済、インターネット上にのみ店舗を展開することにより銀行取引を可能にする決済等が実用化されている。
また、ロッカー式の携帯電話機用充電装置等が設置されている。
さらに、携帯電話機、ＰＤＡ、デジタルカメラ、デジタルビデオ等の携帯情報端未機は、カメラ機能、ムービー機能、インターネット機能等の付属機能が豊富である。【０００３】  したがって、従来の、端末装置やＡＴＭ端末等の管理装置は、注文等は端末装置自体でできるが、決済は、カウンターに備えられたキャッシャーで行わなければならず、目的の処理をするのに、あっちこっち走り回らなければならないので、手間と時間がかかるとともに、ロッカー式の充電装置では、携帯電話機を収納スペースが大きいので、レストラン、コンビエンスストア等の店舗内に効率よく設置することができないという欠点があった。
また、カメラ機能、ムービー機能、インターネット機能等の付属機能が豊富なので、短時間に消費する電力がかなり大きく、短時間でバッテリ電力を消耗してしまうという欠点があった。
【特許文献１】  特開２０００−１２３２４６
【発明の開示】
【発明が解決しようとする課題】
【０００４】  本発明は以上のような従来の欠点に鑑み、食事や買い物等をしている最中でも、携帯情報端未機での決済、情報取得、充電等のための作業を効率よく行い、遊び心のある、利用価値の高い状態で時間やスペースを提供することができる携帯情報端未機等の管理装置を提供することを目的としている。【０００５】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】  上記目的を達成するために、本発明は、少なくとも一つ以上の携帯電話機、ＰＤＡ、デジタルカメラ等の携帯情報端未機の管理を行う情報端未機等の管理装置であって、前記管理装置は、管理装置本体と、この管理装置本体に設けられた、少なくとも一つ以上の前記携帯情報端未機を収納することができる少なくとも１個以上の収納ボックス、この少なくとも１個以上の収納ボックスに設けられ、前記携帯情報端未機に接続される充電用コネクタとを備えた充電装置とで携帯情報端未機等の管理装置を構成している。
【発明の効果】
【０００７】  以下の説明から明らかなように、本発明にあっては次に列挙する効果が得られる。【０００８】（１）少なくとも一つ以上の携帯電話機、ＰＤＡ、デジタルカメラ等の携帯情報端未機の管理を行う情報端未機等の管理装置であって、前記管理装置は、管理装置本体と、この管理装置本体に設けられた、少なくとも一つ以上の前記携帯情報端未機を収納することができる少なくとも１個以上の収納ボックス、この少なくとも１個以上の収納ボックスに設けられ、前記携帯情報端未機に接続される充電用コネクタとを備えた充電装置とで構成されているので、充電等のための作業を効率よく行い、遊び心のある、利用価値の高い状態で時間やスペースを提供することができる。【０００９】（２）前記（１）によって、食事や買い物等をしている最中でも、面倒な作業をすることなく充電作業をすることができるので、携帯情報端未機が有する諸機能を、充電の有無を考慮することなく、思う存分使用することができる。【００１０】（３）前記（１）によって、設置側で利用状況を把握できるので、利用者動向のデータを取ることができるので、店舗開発、地域発展等で有用なデータとすることができる。【００１１】（４）前記（１）によって、構造が簡単であるので、製造コストの低減を図ることができる。【００１２】（５）前記（１）によって、コンパクトに製造することができるので、設置スペースを容易に確保することができ、設置時間や設置コストを効率よく抑えることができる。【００１３】（６）請求項２〜１０も前記（１）〜（５）と同様の効果が得られるとともに、決済、情報取得、充電等のための作業を効率よく行い、遊び心のある、利用価値の高い状態で時間やスペースを提供することができる。
【発明を実施するための最良の形態】
【００１４】  以下、図面に示す実施するための最良の形態により、本発明を詳細に説明する。
【実施例１】
【００１５】  図１ないし図９に示す本発明の第１の実施するための最良の第１の形態において、１は本発明の少なくとも一つ以上の携帯電話機、ＰＤＡ、デジタルカメラ等の携帯情報端未機２等の管理装置で、この携帯情報端未機等の管理装置１は、金属材や樹脂材等で形成された箱型形状の管理装置本体３と、この管理装置本体３に設けられた、少なくとも一つ以上の前記携帯情報端未機２を出し入れすることができるようにスライド移動可能に収納された、引出し形状の少なくとも１個以上、本実施例では３個の収納ボックス４、４、４、この３個の収納ボックス４、４、４に内部部位に設けられた、前記携帯情報端未機に接続される充電用コネクタ５、５、５、前記収納ボックス４、４、４に設けられた、収納ボックス毎あるいは一体的に施錠／開錠するためのロック機構６とからなる充電装置７とで構成されている。【００１６】  前記管理装置本体３には、テンキー等の操作部８、表示部９、コイン投入口１０、釣銭口１１等が適宜に設けられている。前記コイン投入口１１から投入されたコインを貯めておくためのコイン収容部１２が設けられており、このコイン収容部１２に集められたコインは、適宜に設けられたカバー部１３を開けて回収される。
なお、前記操作部８は、テンキー、文字キー、タッチパネル等からなり、施錠／開錠や所定の操作等に必要とされる暗証番号、認証番号などを入力するために用いられる。
また、前記表示部９は、本実施するための最良の形態では液晶パネルからなり、前記操作部８を介して入力された情報を表示したり、広告、メニュー等が表示される。【００１７】  前記複数個の収納ボックス４は、本実施するための最良の形態では３個の収納ボックス４、４、４が設けられている。【００１８】  前記充電用コネクタ５は、ケーブル１４と、このケーブル１４の先端部に取付けられたコネクタ１５とで構成されており、ＣＤＭＡ方式やＧＳＭ方式等の各種の携帯電話機に対応したコネクタ１５を備えている。この充電用コネクタ５と携帯電話機Ｘとの接続状態や充電時間等は、前記制御部１７を介して管理することができる。【００１９】  収納ボックス毎あるいは一体的に施錠／開錠するためのロック機構６は、前記管理装置本体３から前記収納ボックス４、４、４が引き抜かれるのを防止し、前記管理装置本体３内に設けられたロック機構としてのロック部１６によって収納ボックス毎あるいは一体的、本実施するための最良の形態では収納ボックス毎に施錠／開錠することができる。このロック部１６による施錠／開錠操作は、一例として前記操作部８により、キー操作あるいはタッチパネル操作等で前記制御部１７を介し、施錠／開錠信号に応じて施錠／開錠動作を行うように操作可能である。【００２０】  前記制御部１７は、ＣＰＵ１８、ＲＯＭ１９、ＲＡＭ２０、回路２１等、必要な構成により形成されている。前記回路２１には、ロック部１６、充電用コネクタ５、操作部８、表示部９等が適宜に接続されている。したがって、前記制御部１７は、携帯電話機Ｘの接続状態、使用者の操作に応じた入出力信号、表示作業、収納ボックス４、４、４の開閉状態等を制御管理する。
なお、前記ＲＡＭ２０には、暗証番号等を記憶しておくための領域が確保され、前記ＣＰＵ１８には、タイムクロック回路２２が適宜に組み込まれている。【００２１】  上記構成の携帯情報端未機等の管理装置１は、未使用の収納ボックス４、４、４が使用者により選択されると、充電する携帯電話機Ｘが対応機種か否かを確認させるための画面が表示される表示を行い、対応機種であることが確認されると、指定された収納ボックス４が開錠されて引き出される。この場合、使用中であれば、使用できない旨が表示されたり、警告音が出力される処理をする。【００２２】  次に、使用者は収納ボックス４の充電用コネクタ５のコネクタ１５に携帯電話機Ｘを接続し、携帯電話機Ｘを収納ボックス４内に収める。なお、収納ボックス４は、所定の操作に応じて自動的に奥方向にスライド移動して管理装置本体内に収容あるいは手動で奥方向に押し込む。【００２３】  収納ボックス４を閉じた後、使用者により暗証番号や専用番号等の識別情報が入力され、充電料金としてのコインがコイン投入口１０を介して投入されると、収納ボックス４が施錠された状態となり、携帯電話機Ｘに対して充電が開始される。
充電中は、タイムクロック回路２２および制御部１７を介して充電時間、充電残り時間等が表示部に表示される。この場合、充電が満たないと使用者が判断、あるいは制御部１７を介して充分ではない旨の表示を確認した場合、制御部１７を介して充電を延長するかどうか使用者を促す表示をする。
この場合、延長料金としてのコインが投入されると、収納ボックスＸ内に収められた携帯電話機Ｘの充電作業が延長される。【００２４】  充電が終了すると、使用者により充電終了の旨を選択可能に表示部９に表示し、使用者により終了が指示されると、制御部１７を介して収納ボックス４内の携帯電話機Ｘに対する充電が終了するとともに、暗証番号等の認証情報を入力するための画面が表示された後、それに応じて暗証番号が入力されると、対応する収納ボックス４が開錠されて自動的あるいは手動で引き出され、使用者は、引き出された状態の収納ボックス４中から携帯電話機Ｘを取り出す。【００２５】  したがって、収納ボックス４は、暗証番号や専用番号等の識別情報の入力に応じて施錠／開錠されるので、鍵が必要無く、セキュリティ面において高い信頼性を得ることができる。
なお、識別番号の入力に加えてカードキー等を併用する方式でもよい。【００２６】  また、前記収納ボックス４は、自動的にスライド移動するものに限らず、手動で取り扱われるものでもよい。【００２７】  また、本実施例では、３台の携帯電話機Ｘについて充電できるが、同時に充電できる台数は、設計仕様により収納ボックス４の個数などを変更して適宜調整することができるとともに、料金徴収タイプに限らず、料金フリーの充電装置でもよい。【００２８】  また、本実施例では、３本の充電用コネクタ５、５、５を用いるものについて説明したが、本発明はこれに限らず、図８に示すように、各種の携帯に対応するマルチタイプのコネクタ１５ａを有する充電用コネクタ５ａを用いてもよく、世界各国で使用されているＧＳＭ方式に対応するコネクタ１５ｂを有する充電用コネクタ５ｂを用いてもよい。【００２９】  さらに、充電の対象となる携帯情報端末２としては、携帯電話機Ｘに限らず、例えばＰＤＡ、デジタルカメラＹ、パームトップサイズの携帯情報端末、ノート型パーソナルコンピュータであってもよい。【００３０】  充電装置の設置場所としては、ショッピングセンター等のほか、ゲームセンター等のアミューズメント施設、大型量販店、ブックセンター、空港、駅、役所、商業ビル、オフィスビル、学校、コンビニエンスストア、ファミリーレストラン等でもよい。また、場内における携帯電話機Ｘ等の持ち込みや電源オンが全面的に禁止される映画館やコンサートホールのロビー、さらには病院の待合室等に設置してもよい。
｛発明を実施するための異なる形態｝【００３１】  次に、図１０ないし図２８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００３２】  図１０ないし図１２に示す本発明を実施するための第２の形態において、前記本発明を実施するための最良の第１の形態と主に異なる点は、前記充電装置７が設けられた第１の管理装置本体２３、この第１の管理装置本体２３の下部に設けられた第２の管理装置本体２４とで構成される管理装置本体３Ａと、この管理装置本体３Ａの前記第２の管理装置本体２４に設けられた、無線ＬＡＮを介したインターネット接続サービスが可能な、ＡＤＳＬモデムや光終端装置等のモデム手段２５経由で通信ネットワークとしてのインターネットＺへ接続されるアクセスポイント２６を用いた点で、このように構成された携帯情報端未機等の管理装置１Ａにしても前記本発明を実施するための最良の第１の形態と同様な作用効果が得られる。【００３３】  このようなアクセスポイント２６をモデム手段２５経由でインターネットＺのアクセスラインに接続する無線ＬＡＮシステム２７は、図１２に示すように、ＡＤＳＬモデム、ブロードバンドルータ機能付きの無線ＬＡＮアクセスポイント２８、ＡＤＳＬアクセスライン、無線ＬＡＮ回線等である。
前記アクセスポイント２６は、ＬＡＮケーブル、ＡＤＳＬモデム及びＡＤＳＬアクセスライン等を介して、インターネットＺへ常時接続されている。
したがって、使用者は無線ＬＡＮ設備におけるアクセスポイント２６を介してインターネットＺに無料で自由に、あるいは対価を支払うことにより有料で接続できる。例えば、本実施例の携帯情報端未機等の管理装置１Ａがオフィスビル内に設置されれば、社内での食堂、物販等の決済にも利用することができる。また、レストラン等に設置された場合、待ち時間でも前記アクセスポイント２６を介してネットサーフィンを楽しむことができるので、楽しみながら待つことができ、待つことに対して不快感を抱かせることを防ぐことができる。【００３４】  なお、無線ＬＡＮアクセスポイント２６は、無線ＬＡＮ基地局と称されることもある。ブロードバンドルータ機能付きの無線ＬＡＮアクセスポイントとしては、例えばアクセスポイントブロードバンドルータ等が市販されており，これらを使用することができる。【００３５】  また、本実施例では、無線ＬＡＮをインターネットＺへ接続するアクセスラインとして、一例としてＡＤＳＬを用いたが、本発明はこれに限らず、例えば光ファイバ等でもよい。
【実施例３】
【００３６】  図１３ないし図１７に示す本発明を実施するための第３の形態において、前記本発明を実施するための第２の形態と主に異なる点は、前記管理装置本体３Ａの第２の管理装置本体２４に設けられた、携帯電話機、ＰＤＡ、デジタルカメラ等の携帯情報端未機２で撮影あるいは記録された画像や映像等のデータ２８を送受信する送受信手段２９、この送受信手段２９で受信した画像や映像等のデータ２８を記憶する記憶手段３０、この記憶手段３０に記憶した前記データ２８をプリントするプリント手段３１等を備えるプリンタ３２を用いた点で、このように構成された携帯情報端未機等の管理装置１Ｂにしても、前記本発明を実施するための第２の形態と同様な作用効果が得られる。【００３７】  前記プリンタ３２は携帯電話機、ＰＤＡ、デジタルカメラ等の携帯情報端未機２のカメラ機能で撮影した静止画、動画、文字等のデータ２８を接続コードあるいは通信機能で送受信することができる送受信手段としての送受信回路３３と、この送受信回路３３を介して携帯情報端未機２から供給される前記データ２８を記憶する記憶手段としてのメモリ３４と、このメモリ３４が記憶する前記データ２８を、例えば紙面やプリント用紙等上にプリントアウトするプリント手段としてのプリントアウト回路３５等とで構成される。【００３８】  上記構成のプリンタ３２では、前記データ２８が、例えば赤外線通信がされプリンタ３２に送信される。送信されたデータ２８がメモリ３４に格納された後、使用者の所定の操作により、前記操作部８あるいは表示部９等を介して前記プリントアウト回路３５が作動し、前記メモリ３４に格納されたデータ２８を、例えば紙面上にプリントアウトする。
なお、本実施例では、前記データ２８は紙面にプリントされるものについて説明したが、本実施例はこれに限らず、複数枚印刷されるシールやステッカー形状のものにプリントされるものや、メダルや樹脂版等にプリントあるいは彫刻等がされてもよい。
メダルや樹脂版等にプリントあるいは彫刻等去るものの場合には、管理装置本体３Ａ内にメダルや樹脂版等が収納され、専用のプリント手段や彫刻手段が備えられる。【００３９】  なお、本実施例では、携帯電話機、ＰＤＡ、デジタルカメラ等の携帯情報端未機２のカメラ機能で撮影した静止画、動画、文字等のデータ２８を接続コードあるいは通信機能で送受信することができる送受信手段としての送受信回路３３を用いたものについて説明したが、本発明はこれに限らず、図１６および図１７に示すように、前記携帯情報端未機２に設けられる、メモリースティックやＳＤカード等の記録媒体Ｍを挿入してデータの読み書きができるリーダライタＵを備えるものでもよい。
【実施例４】
【００４０】  図１８ないし図２０に示す本発明を実施するための第４の形態において、前記本発明を実施するための第２の形態と主に異なる点は、前記管理装置本体３Ａの第２の管理装置本体２４に設けられた、携帯電話機、ＰＤＡ、デジタルカメラ等の前記携帯情報端未機２に設けられたＩＣチップやＩＣカード等を本人認証ツールとして認識し、ネットワークを介して決済や売買サービス等の処理をすることができる認証装置３６を用いた点で、このように構成した携帯情報端未機等の管理装置１Ｃにしても、前記本発明を実施するための最良の第２の形態と同様な作用効果が得られる。【００４１】  前記認証装置３６は、本実施例では、従来と同様あるいは効率のよいＣＰＵ、メモリ、送受信装置等を備えるとともに、携帯情報端未機２に設けられたＩＣチップやＩＣカード等に記憶・記録されている情報を接触あるいは非接触状態で読み書きできるリーダライタ３７と、このリーダライタ３７で得た情報を、例えば、使用者や設置店等の指示に応じて取引先に対して情報を送受信する機能を有する端末部Ｖ等を備えている。【００４２】  前記携帯情報端未機２は、例えば、内部回路をシールドする導電層又はバッテリ内の導電層を内蔵する携帯電話機本体３８に識別情報を保持し、その識別情報を非接触で読み取り可能なＩＣタグ３９を取付けたＩＣタグ付き携帯電話機２Ａであって、前記ＩＣタグは、非接触用のＩＣチップ４０を内蔵する。
ＩＣカードとは、ＩＣチップを内蔵するカードで、クレジットカードやキャッシュカード等の金融分野、社員証や学生証等のＩＤ分野等で利用されている。今後、保険証、免許証、パスポート等にも使用される。
ＩＣチップには、メモリのみを内蔵するものと、ＣＰＵおよびメモリを内蔵するものとが存在し、ミューチップと呼ばれる極小のチップも存在する。【００４３】  前記リーダライタ３７は、例えば、接触型ＩＣカードの場合には、該接触型ＩＣカードの表面に接点（端子）が設けられ、電気的に交信処理ができるように形成され、接触型ＩＣカードの場合には、電波（電磁波）で交信処理ができるように形成されたものを使用する。【００４４】  上記構成の認証装置３６では、例えば図２０に示すように、ＩＣカードをリードライタとしてのセンサ３７にかざす。この状態において、ＣＰＵは認証処理を行う。すなわち、操作部を操作してパスワードや暗証番号をＣＰＵに入力する。一方、ＣＰＵはセンサを駆動して、ＩＣカードのメモリからそのＩＣカードのパスワードや暗証番号を読み取る。ＣＰＵは、入力されたパスワード（暗証番号）とセンサから読み取ったＩＣカードのパスワード（暗証番号）とを比較し、一致していれば、携帯情報端末を操作した操作者がＩＣカードの所有者（本人）であると確認することができる。もし、この本人確認が取れなければ、以後の処理には進まないように処理する。
これにより、ＩＣカードの所有者は、自分のＩＣカードの中に入っている情報を呼び出し、所望の情報を容易に確認あるいはサービスを利用することができる。【００４５】  また、本実施例の携帯情報端末としての携帯電話機２Ａは、非接触型ＩＣカードと同様の機能を有するが、通常の携帯電話機としての機能も保有しているため、通常の携帯電話機を用いた決済に関するも実行することができる。例えば、携帯電話機２Ａにより口座振込みを実行したり、口座振替を実行したりすることができる。また、携帯電話機２Ａの画面に預金口座の残高を表示することも可能であるため、即座に借り入れなしにカード決済できる額を知ることができ、非接触型ＩＣカードとして利用する場合の利便性を向上させる。また、電子財布を携帯電話機中にインストールすることも可能であり、また、サーバに設けられたサーバウォレットを携帯電話機２Ａにより使用することもできる。【００４６】  本実施例において、前記認証装置３６には、指紋、掌紋、声紋、虹彩、顔相等で識別する識別装置を備えていてもよい。さらに、前記リーダライタ３７は、バーコード読取機等の識別装置でもよい。
【実施例５】
【００４７】  図２１および図２２に示す本発明を実施するための第５の形態において、前記本発明を実施するための第２の形態と主に異なる点は、前記第１の管理装置本体２３の下部に設けられた複数個の第２の管理装置本体２４Ａとで構成される管理装置本体３Ｂと、この複数個の第２の管理装置本体３Ｂに前記アクセスポイント２６、プリンタ３２、認証装置３６、その他ＦＡＸ等の通信機器４１を選択的に設けた点で、このように構成した携帯情報端未機等の管理装置１Ｄにしても、前記本発明を実施するための第２の形態と同様な作用効果が得られるとともに、本実施例では複数個の第２の管理装置本体３Ｂに前記アクセスポイント２６、プリンタ３２、認証装置３６、その他ＦＡＸ等の通信機器４１を全て設けたものについて説明したが、本発明はこれに限らず、選択的に２種類、３種類を組み合わせて設置することができる。
【実施例６】
【００４８】  図２３および図２４に示す本発明を実施するための第６の形態において、前記本発明を実施するための最良の第１の形態と主に異なる点は、モニターや液晶パネル等で構成される管理装置本体３Ｃと、この管理装置本体３Ｃの下部部位に設けられた、少なくとも一つ以上の前記携帯情報端未機２を接続することができる充電用コネクタ５、５、５からなる充電装置７Ａを用いた点で、このように構成した携帯情報端未機等の管理装置１Ｅにしても、前記本発明を実施するための第２の形態と同様な作用効果が得られるとともに、コンパクトな構造であるので、例えば、ファミリーレストラン等のテーブル上に美観を損なうことなく設置することができる。
【実施例７】
【００４９】  図２５および図２６に示す本発明を実施するための第７の形態において、前記本発明を実施するための第５の形態と主に異なる点は、前記充電装置７を有する前記第１の管理装置本体２３を用いない管理装置本体３Ｄを使用する点で、このように構成した携帯情報端未機等の管理装置１Ｆにしてもよい。
【実施例８】
【００５０】  図２７および図２８に示す本発明を実施するための第８の形態において、前記本発明を実施するための第１の形態と主に異なる点は、前記管理装置本体３に設けられた、少なくとも一つ以上の前記携帯情報端未機２を出し入れすることができるように開閉可能に取付けられた扉部４２を有する収納ボックス４Ａ、この収納ボックス４Ａの内部部位に設けられた、前記携帯情報端未機２に接続される据置タイプの充電用コネクタ５Ａ、前記収納ボックス４Ａに設けられた、前記扉部４２を施錠／開錠するためのロック機構６とからなる充電装置７Ｂを用いた点で、このように構成された携帯情報端未機等の管理装置１Ｇにしても前記本発明を実施するための最良の第１の形態と同様な作用効果が得られる。【００５１】  なお、前記本発明の異なる実施の形態では主に第１の実施の形態を基にして説明したが、本発明はこれに限らず、各実施の形態に使用された構成を組み合わせて使用しても同様な作用効果が得られる。
【産業上の利用可能性】
【００５２】  本発明は携帯電話機、ＰＤＡ、デジタルカメラ等の携帯情報端未機の管理を行う携帯情報端未機等の管理装置を製造、販売、使用等をする産業で利用される。
【図面の簡単な説明】
【００５３】
【図１】本発明を実施するための最良の第１の形態の正面図。
【図２】本発明を実施するための最良の第１の形態の側面図。
【図３】本発明を実施するための最良の第１の形態の平面図。
【図４】本発明を実施するための最良の第１の形態の概略説明図。
【図５】本発明を実施するための最良の第１の形態の収納ボックスの引出し状態の側面図。
【図６】本発明を実施するための最良の第１の形態の収納ボックスの引出し状態の平面図。
【図７】本発明を実施するための最良の第１の形態の携帯情報端未機の収納状態の説明図。
【図８】本発明を実施するための最良の第１の形態の参考図。
【図９】本発明を実施するための最良の第１の形態の参考図。
【図１０】本発明を実施するための第２の形態の正面図。
【図１１】本発明を実施するための第２の形態の側面図。
【図１２】本発明を実施するための第２の形態の概略図。
【図１３】本発明を実施するための第３の形態の正面図。
【図１４】本発明を実施するための第３の形態の概略説明図。
【図１５】本発明を実施するための第３の形態のプリント状態の説明図。
【図１６】本発明を実施するための第３の形態の参考図。
【図１７】本発明を実施するための第３の形態の参考図。
【図１８】本発明を実施するための第４の形態の正面図。
【図１９】本発明を実施するための第４の形態の側面図。
【図２０】本発明を実施するための第４の形態の使用状態の説明図。
【図２１】本発明を実施するための第５の形態の正面図。
【図２２】本発明を実施するための第５の形態の側面図。
【図２３】本発明を実施するための第６の形態の正面図。
【図２４】本発明を実施するための第６の形態の側面図。
【図２５】本発明を実施するための第７の形態の正面図。
【図２６】本発明を実施するための第７の形態の側面図。
【図２７】本発明を実施するための第８の形態の正面図。
【図２８】本発明を実施するための第８の形態の携帯情報端未機の収納状態の説明図。
【符号の説明】
【００５４】１、１Ａ〜１Ｇ：携帯情報端未機等の管理装置、
２、２Ａ：携帯情報端未機、          ３、３Ａ〜３Ｄ：管理装置本体、
４、４Ａ：収納ボックス、            ５、５Ａ：充電用コネクタ、
６：ロック機構、                    ７、７Ａ、７Ｂ：充電装置、
８：操作部、                        ９：表示部、
１０：コイン投入口、                １１：釣銭口、
１２：コイン収容部、                １３：カバー部、
１４：ケーブル、                    １５：コネクタ、
１６：ロック部、                    １７：制御部、
１８：ＣＰＵ、                      １９：ＲＯＭ、
２０：ＲＡＭ、                      ２１：回路、
２２：タイムクロック回路、          ２３：第１の管理装置本体、
２４：第２の管理装置本体、          ２５：モデム手段、
２６：アクセスポイント、            ２７：無線ＬＡＮシステム、
２８：データ、                      ２９：送受信手段、
３０：記憶手段、                    ３１：プリント手段、
３２：プリンタ、                    ３３：送受信回路、
３４：メモリ、                      ３５：プリントアウト回路、
３６：認証装置、                    ３７：リーダライタ、
３８：携帯電話機本体、              ３９：ＩＣタグ、
４０：ＩＣチップ、                  ４１：ＦＡＸ等の通信機器、
４２：扉部、                        Ｍ：記録媒体、
Ｕ：リーダライタ、                  Ｖ：端末部、
Ｘ：携帯電話機Ｘ、                  Ｙ：デジタルカメラ、
Ｚ：インターネット。
【図１】
2005190450.tif 000003
【図２】
2005190450.tif 000004
【図３】
2005190450.tif 000005
【図４】
2005190450.tif 000006
【図５】
2005190450.tif 000007
【図６】
2005190450.tif 000008
【図７】
2005190450.tif 000009
【図８】
2005190450.tif 000010
【図９】
2005190450.tif 000011
【図１０】
2005190450.tif 000012
【図１１】
2005190450.tif 000013
【図１２】
2005190450.tif 000014
【図１３】
2005190450.tif 000015
【図１４】
2005190450.tif 000016
【図１５】
2005190450.tif 000017
【図１６】
2005190450.tif 000018
【図１７】
2005190450.tif 000019
【図１８】
2005190450.tif 000020
【図１９】
2005190450.tif 000021
【図２０】
2005190450.tif 000022
【図２１】
2005190450.tif 000023
【図２２】
2005190450.tif 000024
【図２３】
2005190450.tif 000025
【図２４】
2005190450.tif 000026
【図２５】
2005190450.tif 000027
【図２６】
2005190450.tif 000028
【図２７】
2005190450.tif 000029
【図２８】
2005190450.tif 000030